(57)【要約】【課題】電子透かし画像だけにより提供される情報よりも多くの種類の情報を提供できる情報提供システムを得る。【解決手段】情報提供サーバ２のサーバ２０は、クライアント機器１による印刷物の撮影で当該印刷物から得られた、電子透かし情報を挿入された電子透かし画像データと、該電子透かし画像データと同時に送信された識別ＩＤとを受信し、電子透かし解析装置２３が、受信された電子透かし画像データから電子透かし情報を抽出し、サーバ２０が、電子透かし解析装置２３で抽出された電子透かし情報と、受信した識別ＩＤとにより、提供される情報を一意に決定し、該一意に決定した情報をクライアント機器１に送信する。【選択図】図１
2005318313.tif 000002
【特許請求の範囲】
【請求項１】
情報提供サービスの利用者が保有するクライアント機器と、情報提供者が保有する情報提供サーバと、当該機器同士を接続するコンピュータネットワークとからなる系において、
前記情報提供サーバは、
前記クライアント機器に提供される情報が記憶される情報記憶手段を備え、且つ前記クライアント機器による印刷物の撮影で当該印刷物から得られた、電子透かし情報を挿入された電子透かし画像データと、該電子透かし画像データと同時に送信された識別ＩＤとを受信するサーバと、
前記サーバで受信された電子透かし画像データから前記電子透かし情報を抽出する電子透かし解析装置とを含んで構成され、
前記サーバは、前記電子透かし解析装置で抽出された電子透かし情報と前記受信した識別ＩＤとにより前記情報記憶手段の情報を一意に決定し、該一意に決定した情報を前記クライアント機器に送信することを特徴とする情報提供システム。
【請求項２】
前記識別ＩＤは暗号化されるものであり、前記情報提供サーバは、当該暗号化されたものを復号化する手段を備えたことを特徴とする請求項１記載の情報提供システム。
【請求項３】
前記クライアント機器は、カメラを有する携帯電話端末であり、前記電子透かし画像データが当該カメラで撮像されたものであり、前記識別ＩＤは、当該携帯電話端末に付与された携帯電話番号であることを特徴とする請求項１または２記載の情報提供システム。
【請求項４】
前記識別ＩＤは、位置を示す位置情報を含むことを特徴とする請求項１ないし３のいずれかに記載の情報提供システム。
【請求項５】
前記クライアント機器は、該クライアント機器の現在位置を示す位置情報を取得する位置情報取得機能を有する携帯電話端末であり、前記識別ＩＤに含まれる位置情報は、当該位置情報取得機能で取得したものであることを特徴とする請求項４記載の情報提供システム。
【請求項６】
情報提供サービスの利用者が保有するクライアント機器と、情報提供者が保有する情報提供サーバと、当該機器同士を接続するコンピュータネットワークとからなる系において、
前記情報提供サーバは、
前記クライアント機器による印刷物の撮影で当該印刷物から得られた、電子透かし情報を挿入された電子透かし画像データと、該電子透かし画像データと同時に送信された識別ＩＤとを当該情報提供サーバに構成されたサーバで受信し、
前記サーバで受信された電子透かし画像データから前記電子透かし情報を抽出する電子透かし解析装置が当該電子透かし情報を抽出し、
前記サーバが、前記電子透かし解析装置で抽出された電子透かし情報と前記受信した識別ＩＤとにより、情報の記憶される情報記憶手段の情報を一意に決定し、該一意に決定した情報を前記クライアント機器に送信することを特徴とする情報提供方法。
【請求項７】
前記識別ＩＤは暗号化されるものであり、前記情報提供サーバは、当該暗号化されたものを復号化することを特徴とする請求項６記載の情報提供方法。
【請求項８】
前記クライアント機器は、カメラを有する携帯電話端末であり、前記電子透かし画像データが当該カメラで撮像されたものであり、前記識別ＩＤは、当該携帯電話端末に付与された携帯電話番号であることを特徴とする請求項６または７記載の情報提供方法。
【請求項９】
前記識別ＩＤは、位置を示す位置情報を含むことを特徴とする請求項６ないし８のいずれかに記載の情報提供方法。
【請求項１０】
前記クライアント機器は、該クライアント機器の現在位置を示す位置情報を取得する位置情報取得機能を有する携帯電話端末であり、前記識別ＩＤに含まれる位置情報は、当該位置情報取得機能で取得したものであることを特徴とする請求項９記載の情報提供方法。
【請求項１１】
情報提供サービスの利用者が保有するクライアント機器と、情報提供者が保有する情報提供サーバと、当該機器同士を接続するコンピュータネットワークとからなる系において、
前記情報提供サーバは、
前記クライアント機器による印刷物の撮影で当該印刷物から得られた、電子透かし情報を挿入された電子透かし画像データと、該電子透かし画像データと同時に送信された識別ＩＤとを当該情報提供サーバに構成されたサーバで受信し、
前記サーバで受信された電子透かし画像データから前記電子透かし情報を抽出する電子透かし解析装置が当該電子透かし情報を抽出し、
前記サーバが、前記電子透かし解析装置で抽出された電子透かし情報と前記受信した識別ＩＤとにより、情報の記憶される情報記憶手段の情報を一意に決定し、該一意に決定した情報を前記クライアント機器に送信することを特徴とする情報提供方法を前記情報提供サーバに実行させるコンピュータプログラム。
【請求項１２】
前記識別ＩＤは暗号化されるものであり、前記情報提供サーバは、当該暗号化されたものを復号化することを特徴とする情報提供方法を実行させる請求項１１記載のコンピュータプログラム。
【請求項１３】
前記クライアント機器は、カメラを有する携帯電話端末であり、前記電子透かし画像データが当該カメラで撮像されたものであり、前記識別ＩＤは、当該携帯電話端末に付与された携帯電話番号であることを特徴とする情報提供方法を実行させる請求項１１または１２記載のコンピュータプログラム。
【請求項１４】
前記識別ＩＤは、位置を示す位置情報を含むことを特徴とする情報提供方法を実行させる請求項１１ないし１３のいずれかに記載のコンピュータプログラム。
【請求項１５】
前記クライアント機器は、該クライアント機器の現在位置を示す位置情報を取得する位置情報取得機能を有する携帯電話端末であり、前記識別ＩＤに含まれる位置情報は、当該位置情報取得機能で取得したものであることを特徴とする情報提供方法を実行させる請求項１４記載のコンピュータプログラム。
【請求項１６】
情報提供サービスの利用者が保有するクライアント機器と、情報提供者が保有する情報提供サーバと、当該機器同士を接続するコンピュータネットワークとからなる系において、
前記情報提供サーバは、
前記クライアント機器による印刷物の撮影で当該印刷物から得られた、電子透かし情報を挿入された電子透かし画像データと、該電子透かし画像データと同時に送信された識別ＩＤとを当該情報提供サーバに構成されたサーバで受信し、
前記サーバで受信された電子透かし画像データから前記電子透かし情報を抽出する電子透かし解析装置が当該電子透かし情報を抽出し、
前記サーバが、前記電子透かし解析装置で抽出された電子透かし情報と前記受信した識別ＩＤとにより、情報の記憶される情報記憶手段の情報を一意に決定し、該一意に決定した情報を前記クライアント機器に送信することを特徴とする情報提供方法を前記情報提供サーバに実行させるコンピュータプログラムが格納された記録媒体。
【請求項１７】
前記識別ＩＤは暗号化されるものであり、前記情報提供サーバは、当該暗号化されたものを復号化することを特徴とする情報提供方法を実行させるコンピュータプログラムが格納された請求項１６記載の記録媒体。
【請求項１８】
前記クライアント機器は、カメラを有する携帯電話端末であり、前記電子透かし画像データが当該カメラで撮像されたものであり、前記識別ＩＤは、当該携帯電話端末に付与された携帯電話番号であることを特徴とする情報提供方法を実行させるコンピュータプログラムが格納された請求項１６または１７記載の記録媒体。
【請求項１９】
前記識別ＩＤは、位置を示す位置情報を含むことを特徴とする情報提供方法を実行させるコンピュータプログラムが格納された請求項１６ないし１８のいずれかに記載の記録媒体。
【請求項２０】
前記クライアント機器は、該クライアント機器の現在位置を示す位置情報を取得する位置情報取得機能を有する携帯電話端末であり、前記識別ＩＤに含まれる位置情報は、当該位置情報取得機能で取得したものであることを特徴とする情報提供方法を実行させるコンピュータプログラムが格納された請求項１９記載の記録媒体。
【発明の詳細な説明】
【技術分野】
【０００１】
本発明は、クライアント機器に情報を提供する情報提供システムに関するものである。
【背景技術】
【０００２】
現在、種々の分野においてインターネットによる情報提供サービスが広く行われている。このサービスはインターネット上で情報提供者が保有するサーバーと利用者が保有するクライアント機器の間で行われるのが一般的である。利用者が情報提供サービスを受けようとする場合、一般的にはクライアント機器に対してＵＲＬや個人情報などをキーボードによって入力する必要があるため、キーボードから誤りなく文字を入力し、すばやく所望の動作を実行するには習熟が必要である。このため、これらの情報をより簡易に入力できる方式が期待されている。さらに、より多くの種類の情報を提供するため、より多くの情報量が入力できることが望ましい。
【発明の開示】
【発明が解決しようとする課題】
【０００３】
そこで、クライアント機器に対してＵＲＬや個人情報を入力する際に電子透かし画像を用いた情報入力方式を用いる手段が考えられる。この手段においては、あらかじめＵＲＬなどの情報が挿入された電子透かし画像を用意し、利用者が情報提供サービスを利用しようとする際に電子透かし画像が印刷された媒体を撮影することによってＵＲＬなどを入力するものである。しかし、本方式では電子透かし画像を読み込むという操作が必要となるため、画像から読み込むことのできる情報の量は画像を撮影する際の分解能に依存する。この分解能には上限があるため、電子透かしとして画像に挿入することができる情報量には限界がある。そのため、多くの種類の情報を利用者に提供することができなかった。
【０００４】
本発明は、上記の課題に鑑みてなされたものであり、その目的とするところは、電子透かし画像だけにより提供される情報よりも多くの種類の情報を提供できる情報提供システムを得ることにある。
【課題を解決するための手段】
【０００５】
上記の課題を解決するために、請求項１の本発明は、情報提供サービスの利用者が保有するクライアント機器と、情報提供者が保有する情報提供サーバと、当該機器同士を接続するコンピュータネットワークとからなる系において、前記情報提供サーバは、前記クライアント機器に提供される情報が記憶される情報記憶手段を備え、且つ前記クライアント機器による印刷物の撮影で当該印刷物から得られた、電子透かし情報を挿入された電子透かし画像データと、該電子透かし画像データと同時に送信された識別ＩＤとを受信するサーバと、前記サーバで受信された電子透かし画像データから前記電子透かし情報を抽出する電子透かし解析装置とを含んで構成され、前記サーバは、前記電子透かし解析装置で抽出された電子透かし情報と前記受信した識別ＩＤとにより前記情報記憶手段の情報を一意に決定し、該一意に決定した情報を前記クライアント機器に送信することを特徴とする情報提供システムをもって解決手段とする。
【０００６】
請求項２の本発明は、前記識別ＩＤは暗号化されるものであり、前記情報提供サーバは、当該暗号化されたものを復号化する手段を備えたことを特徴とする請求項１記載の情報提供システムをもって解決手段とする。
【０００７】
請求項３の本発明は、前記クライアント機器は、カメラを有する携帯電話端末であり、前記電子透かし画像データが当該カメラで撮像されたものであり、前記識別ＩＤは、当該携帯電話端末に付与された携帯電話番号であることを特徴とする請求項１または２記載の情報提供システムをもって解決手段とする。
【０００８】
請求項４の本発明は、前記識別ＩＤは、位置を示す位置情報を含むことを特徴とする請求項１ないし３のいずれかに記載の情報提供システムをもって解決手段とする。
【０００９】
請求項５の本発明は、前記クライアント機器は、該クライアント機器の現在位置を示す位置情報を取得する位置情報取得機能を有する携帯電話端末であり、前記識別ＩＤに含まれる位置情報は、当該位置情報取得機能で取得したものであることを特徴とする請求項４記載の情報提供システムをもって解決手段とする。
【００１０】
請求項６の本発明は、情報提供サービスの利用者が保有するクライアント機器と、情報提供者が保有する情報提供サーバと、当該機器同士を接続するコンピュータネットワークとからなる系において、前記情報提供サーバは、前記クライアント機器による印刷物の撮影で当該印刷物から得られた、電子透かし情報を挿入された電子透かし画像データと、該電子透かし画像データと同時に送信された識別ＩＤと当該情報提供サーバに構成されたサーバで受信し、前記サーバで受信された電子透かし画像データから前記電子透かし情報を抽出する電子透かし解析装置が当該電子透かし情報を抽出し、前記サーバが、前記電子透かし解析装置で抽出された電子透かし情報と前記受信した識別ＩＤとにより、情報の記憶される情報記憶手段の情報を一意に決定し、該一意に決定した情報を前記クライアント機器に送信することを特徴とする情報提供方法をもって解決手段とする。
【００１１】
請求項７の本発明は、前記識別ＩＤは暗号化されるものであり、前記情報提供サーバは、当該暗号化されたものを復号化することを特徴とする請求項６記載の情報提供方法をもって解決手段とする。
【００１２】
請求項８の本発明は、前記クライアント機器は、カメラを有する携帯電話端末であり、前記電子透かし画像データが当該カメラで撮像されたものであり、前記識別ＩＤは、当該携帯電話端末に付与された携帯電話番号であることを特徴とする請求項６または７記載の情報提供方法をもって解決手段とする。
【００１３】
請求項９の本発明は、前記識別ＩＤは、位置を示す位置情報を含むことを特徴とする請求項６ないし８のいずれかに記載の情報提供方法をもって解決手段とする。
【００１４】
請求項１０の本発明は、前記クライアント機器は、該クライアント機器の現在位置を示す位置情報を取得する位置情報取得機能を有する携帯電話端末であり、前記識別ＩＤに含まれる位置情報は、当該位置情報取得機能で取得したものであることを特徴とする請求項９記載の情報提供方法をもって解決手段とする。
【００１５】
請求項１１の本発明は、情報提供サービスの利用者が保有するクライアント機器と、情報提供者が保有する情報提供サーバと、当該機器同士を接続するコンピュータネットワークとからなる系において、前記情報提供サーバは、前記クライアント機器による印刷物の撮影で当該印刷物から得られた、電子透かし情報を挿入された電子透かし画像データと、該電子透かし画像データと同時に送信された識別ＩＤとを当該情報提供サーバに構成されたサーバで受信し、前記サーバで受信された電子透かし画像データから前記電子透かし情報を抽出する電子透かし解析装置が当該電子透かし情報を抽出し、前記サーバが、前記電子透かし解析装置で抽出された電子透かし情報と前記受信した識別ＩＤとにより、情報の記憶される情報記憶手段の情報を一意に決定し、該一意に決定した情報を前記クライアント機器に送信することを特徴とする情報提供方法を前記情報提供サーバに実行させるコンピュータプログラムをもって解決手段とする。
【００１６】
請求項１２の本発明は、前記識別ＩＤは暗号化されるものであり、前記情報提供サーバは、当該暗号化されたものを復号化することを特徴とする情報提供方法を実行させる請求項１１記載のコンピュータプログラムをもって解決手段とする。
【００１７】
請求項１３の本発明は、前記クライアント機器は、カメラを有する携帯電話端末であり、前記電子透かし画像データが当該カメラで撮像されたものであり、前記識別ＩＤは、当該携帯電話端末に付与された携帯電話番号であることを特徴とする情報提供方法を実行させる請求項１１または１２記載のコンピュータプログラムをもって解決手段とする。
【００１８】
請求項１４の本発明は、前記識別ＩＤは、位置を示す位置情報を含むことを特徴とする情報提供方法を実行させる請求項１１ないし１３のいずれかに記載のコンピュータプログラムをもって解決手段とする。
【００１９】
請求項１５の本発明は、前記クライアント機器は、該クライアント機器の現在位置を示す位置情報を取得する位置情報取得機能を有する携帯電話端末であり、前記識別ＩＤに含まれる位置情報は、当該位置情報取得機能で取得したものであることを特徴とする情報提供方法を実行させる請求項１４記載のコンピュータプログラムをもって解決手段とする。
【００２０】
請求項１６の本発明は、情報提供サービスの利用者が保有するクライアント機器と、情報提供者が保有する情報提供サーバと、当該機器同士を接続するコンピュータネットワークとからなる系において、前記情報提供サーバは、前記クライアント機器による印刷物の撮影で当該印刷物から得られた、電子透かし情報を挿入された電子透かし画像データと、該電子透かし画像データと同時に送信された識別ＩＤとを当該情報提供サーバに構成されたサーバで受信し、前記サーバで受信された電子透かし画像データから前記電子透かし情報を抽出する電子透かし解析装置が当該電子透かし情報を抽出し、前記サーバが、前記電子透かし解析装置で抽出された電子透かし情報と前記受信した識別ＩＤとにより、情報の記憶される情報記憶手段の情報を一意に決定し、該一意に決定した情報を前記クライアント機器に送信することを特徴とする情報提供方法を前記情報提供サーバに実行させるコンピュータプログラムが格納された記録媒体をもって解決手段とする。
【００２１】
請求項１７の本発明は、前記識別ＩＤは暗号化されるものであり、前記情報提供サーバは、当該暗号化されたものを復号化することを特徴とする情報提供方法を実行させるコンピュータプログラムが格納された請求項１６記載の記録媒体をもって解決手段とする。
【００２２】
請求項１８の本発明は、前記クライアント機器は、カメラを有する携帯電話端末であり、前記電子透かし画像データが当該カメラで撮像されたものであり、前記識別ＩＤは、当該携帯電話端末に付与された携帯電話番号であることを特徴とする情報提供方法を実行させるコンピュータプログラムが格納された請求項１６または１７記載の記録媒体をもって解決手段とする。
【００２３】
請求項１９の本発明は、前記識別ＩＤは、位置を示す位置情報を含むことを特徴とする情報提供方法を実行させるコンピュータプログラムが格納された請求項１６ないし１８のいずれかに記載の記録媒体をもって解決手段とする。
【００２４】
請求項２０の本発明は、前記クライアント機器は、該クライアント機器の現在位置を示す位置情報を取得する位置情報取得機能を有する携帯電話端末であり、前記識別ＩＤに含まれる位置情報は、当該位置情報取得機能で取得したものであることを特徴とする情報提供方法を実行させるコンピュータプログラムが格納された請求項１９記載の記録媒体をもって解決手段とする。
【発明の効果】
【００２５】
本発明によれば、電子透かしとして画像に挿入する情報を利用者が提供を希望する情報のタイトルのみとすることができるため、電子透かしとして挿入する情報の量が限定される場合でもより多くの種類の情報を利用者に提供することが可能となる。また、特に利用者がクライアント機器として携帯電話端末を用いることにより、利用者はクライアント機器を操作することなく識別ＩＤを送信することも可能となる。また、必要に応じて暗号化することで情報を傍受された場合でも個人情報などの漏洩を防ぐことができる。
【発明を実施するための最良の形態】
【００２６】
以下、本発明の実施の形態を図面を参照して説明する。
【００２７】
図１は、本発明の実施の形態を説明する図である。図１に示すように、利用者が保有するクライアント機器１と、情報提供者が保有するサーバ機器である情報提供サーバ２とが、インターネットなどに代表されるコンピュータネットワーク３を介して接続される。
【００２８】
クライアント機器１は、カメラ１１を接続し且つハードディスク１２を内蔵するＰＣ（パーソナルコンピュータ）１０、またはカメラを備えた携帯電話端末１００によって構成される。ハードディスク１２には、クライアント機器１に提供される情報を識別するための識別ＩＤなどが記憶される。
【００２９】
情報提供サーバ２は、コンピュータネットワーク３を介して情報提供する目的で用いられ且つハードディスク２２を内蔵する一般的なサーバ２０と電子透かし解析装置２３によって構成される。ハードディスク２２には、クライアント機器１に提供される提供情報や識別ＩＤなどが記憶される。
【００３０】
以下、図１のクライアント機器１としてＰＣ１０を用いるものを実施例１として、携帯電話端末１００を用いるものを実施例２として説明する。
【００３１】
図２は、提供情報の分類例を説明する図であり、図３、図４は、実施例１、実施例２のそれぞれの動作を説明する図である。
【００３２】
（実施例１）
[情報提供者による準備]
情報提供者は予め情報提供サーバ２から提供する提供情報の内容を決定し、情報提供サーバ２のサーバ２０を操作して、提供情報をハードディスク２２に記憶させる。ここで、提供情報は、図２に示すように、提供する情報のタイトル（番号で表現したものでもよい）と提供情報小分類ＩＤで分類してハードディスク２２に記録する。提供情報小分類ＩＤは、例えば個人や企業のＩＤ番号とすることもでき、これらは識別ＩＤとして予め個人や企業に通知される。また、識別ＩＤを日時や場所とすることができる。
【００３３】
[電子透かし入り印刷物の作成と配布]
情報提供者は予め、提供する情報のタイトルを電子透かし情報として印刷物に挿入し、これを利用者に配布する。ここでいう印刷物とは、本、雑誌、会員証である。
【００３４】
具体的には、画像を入力するスキャナーなどからから印刷物のオリジナル画像を入力する。次いでコンピュータにタイトルを入力する。コンピュータでは、この情報を元に画像に改変を加え、電子透かしを挿入された画像を生成する。
【００３５】
生成された画像はプリンタによって印刷される。ここで、オリジナル画像の周波数成分に変調を加える方式の場合を例にすると、周波数成分の変調による電子透かしの挿入方法は、図５に示すように、まず、電子透かしを挿入する前の元画像１をフーリエ変換によって周波数領域に変換する。変換した結果の例を図５中の分布図２に示す。次に電子透かしとして挿入する情報を予めコード化して分布図２に示すように処理し、周波数領域において画像をフーリエ変換した場合の分布図３と重畳する。
【００３６】
こうして得られた図５中の分布図４に示される周波数領域でのパターンを逆フーリエ変換すれば、電子透かしを挿入した花模様５が得られる。変調の度合の調節は情報をコード化したものを重畳する際の強度を調節することで実行できる。あるいは、文献（中村、小川、高嶋、「静止画に対する電子すかし技術」ＮＴＴ  Ｒ＆Ｄ  Ｖｏｌ４７、ｐｐ７１１−７１４、電気通信協会、１９９８）の方法によっても実現できる。これらの方法において変調の度合いを大きくすると、より多くの情報を挿入することができる。つまり、電子透かしを挿入した画像のうち、情報を表す透かし成分を強調することで、多くの情報を挿入することが可能になる。なお、オリジナル画像からの変化が大きくなるという特徴があるものの、たとえば印刷物の背景模様としたりすることにより、情報挿入に伴う模様の違和感を目立たなくすることができる。
【００３７】
[利用者によるクライアント機器の操作]
情報提供サービスを利用しようとする利用者は、前述のように、個人や企業のＩＤ番号などを識別ＩＤとして伝えられているので、その識別ＩＤを予めＰＣ１０からハードディスク１２に登録しておく。
【００３８】
図３に示すように、情報提供サービスを利用する際には、予め配布された印刷物の電子透かし画像をカメラ１１で撮影し、それにより得られた電子透かし画像データをコンピュータネットワーク３を通じて、情報提供サーバ２に送信する。また、これと同時に、予めＰＣ１０に入力された識別ＩＤを送信する。ここで、ＰＣ１０は、識別ＩＤを公開鍵暗号方式で暗号化してもよい。
【００３９】
[情報提供サーバの動作]
情報提供サーバ２は、コンピュータネットワーク３を経由して送信された電子透かし画像データを電子透かし解析装置２３に送信し、電子透かし解析装置２３は受信した電子透かし画像データを解析して、その中に挿入された電子透かし情報を抽出する。
【００４０】
具体的には、模式的にまず図５の処理画像５の画像にフーリエ変換を施し、図５中の分布図４のような周波数領域でのパターンを得る。このパターンに対し、図５中の分布図３のようなパターンが含まれているか否かを判定するものである。あるいは、文献（中村、小川、高嶋、「静止画に対する電子すかし技術」ＮＴＴ  Ｒ＆Ｄ  Ｖｏｌ４７、ｐｐ７１１−７１４、電気通信協会、１９９８）の方法で挿入された画像に対しては、（特開２００２−２３２６７５号公報）の方法によって電子透かし情報を抽出できる。
【００４１】
こうして、サーバ２０は、利用者が希望する情報のタイトルを決定する。さらに、同時に受信した識別ＩＤが暗号化されている場合は、これを復号器により復号化する。そして、この識別ＩＤによって、サーバ２０は利用者が提供を希望する情報を一意に決定する。ここで、識別ＩＤを個人や企業のＩＤとしたときには、その個人や企業に特化した情報をサーバ２０から提供することができるし、識別ＩＤを日時情報とすればその日時に応じた情報を提供することができる。
【００４２】
（実施例２）
[情報提供者による準備]
実施例１の場合と同様にして、サーバ２０に提供する情報を入力する。実施例２では、個人の識別ＩＤとして、携帯電話端末１００の電話番号を利用する。
【００４３】
[電子透かし入り印刷物の作成と配布]
実施例１の場合と同様にして、電子透かし入り印刷物を作成し、情報提供サービスの利用者に対して配布する。なお、印刷物は街角ポスターでもよい。
【００４４】
[利用者によるクライアント機器の操作]
図４に示すように、情報提供サービスの利用者は、カメラを備えた携帯電話端末１００によって、予め配布された印刷物の電子透かし画像を撮影し、それにより得られた電子透かし画像データをコンピュータネットワーク３を通じて、情報提供サーバ２に送信する。同時に携帯電話端末１００に付与された携帯電話番号を識別ＩＤとして送信する。また、携帯電話端末１００が現在位置を示す位置情報を取得する位置情報取得機能を備えている場合は、その機能で取得した位置情報を識別ＩＤとして送信してもよい。また、現在日時を示す日時情報を識別ＩＤとして送信してもよい。
【００４５】
ここで、コンピュータネットワーク３上での情報傍受による被害が懸念される場合は、携帯電話番号や位置情報や日時情報などの識別ＩＤを、携帯電話端末１００の計算機能により公開鍵暗号方式で暗号化してもよい。
【００４６】
[情報提供サーバの動作]
実施例１の場合と同様にして、利用者が希望する情報のタイトルを決定する。また、同時に送信される携帯電話番号や位置情報や日時情報を受信し、暗号化されている場合は復号化する。こうして得られる情報のタイトルと、電話番号から決定される個人情報、または、位置情報や日時情報を用いて、利用者が提供を希望する情報を一意に決定する。そして、決定した情報をコンピュータネットワーク３を介して携帯電話端末１００に送信する。
【００４７】
なお、上記説明した処理を実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【００４８】
【図１】本発明の実施の形態を説明する図である。
【図２】提供情報の分類例を説明する図である。
【図３】実施例１の動作を説明する図である。
【図４】実施例２の動作を説明する図である。
【図５】電子透かし情報の挿入と抽出を説明する図である。
【符号の説明】
【００４９】
１  クライアント機器
２  情報提供サーバ
１０  ＰＣ
１１  カメラ
１２，２２  ハードディスク
２０  サーバ
２３  電子透かし解析装置
【図１】
2005318313.tif 000003
【図２】
2005318313.tif 000004
【図３】
2005318313.tif 000005
【図４】
2005318313.tif 000006
【図５】
2005318313.tif 000007